(57)【特許請求の範囲】
【請求項１】
トンネルの施工に用いられるスライドセントルに対してケレン作業を行うための装置であって、
前記トンネルの横断方向に亘り、前記スライドセントルの型枠に沿って掛け渡され、ケレンブラシを備えるケレンベルトと、
前記トンネルに固定され、前記ケレンベルトの端部を把持し、該ケレンベルトをその長手方向に往復動させるベルト駆動手段と、
を含むことを特徴とする、スライドセントル用のケレン装置。
【発明の詳細な説明】
【０００１】
【発明の属する技術分野】
本発明は、トンネルの施工に用いられるスライドセントルに対してケレン作業を行うための装置である、スライドセントル用のケレン装置に関する。
【０００２】
【従来の技術】
トンネルの施工における二次覆工コンクリートの打設の際には、コンクリート打設用の型枠を備え、トンネルの長手方向にスライド移動可能であるスライドセントルが用いられる。
かかるスライドセントルを用いたコンクリート打設の後においては、脱型後の型枠にはコンクリート滓が付着しており、このコンクリート滓を放置しておくと次工程のコンクリート打設に支障を来すため、型枠に付着したコンクリート滓を削り落として型枠の素地面を出す「ケレン作業」を行う必要がある。
【０００３】
かかるケレン作業は、地山と型枠の狭い隙間において行う必要があり、人手による作業は困難であるため、従来においては全自動ケレン装置により行われていた。この全自動ケレン装置は、脱型後に次工程を行う位置まで移動したスライドセントルに艤装され、スライドセントルに対してケレン作業を行うものである。
【０００４】
【発明が解決しようとする課題】
しかしながら、従来の全自動ケレン装置には、▲１▼装置が高価であり、▲２▼装置が大きいため、中小断面のスライドセントルには不適当であり、▲３▼脱型後に次工程を行う位置まで移動したスライドセントルに対してケレン作業を行うため、非能率的である、という不都合があった。
【０００５】
そこで本発明は、▲１▼安価であり、▲２▼スライドセントルの断面の大きさに拘わらず適用でき、▲３▼能率的にケレン作業を行うことができるような、簡易な構成のスライドセントル用のケレン装置を提供することを課題とする。
【０００６】
【課題を解決するための手段】
本発明は、前記課題を解決すべく提供されるものであり、その請求項１に係る発明は（例えば図１参照）、『トンネル１０の施工に用いられるスライドセントル２０に対してケレン作業を行うための装置であって、／トンネル１０の横断方向に亘り、スライドセントル２０の型枠２１に沿って掛け渡され、ケレンブラシ３２を備えるケレンベルト３１と、／トンネル１０に固定され、ケレンベルト３１の端部を把持し、ケレンベルト３１をその長手方向に往復動させるベルト駆動手段（油圧シリンダ３３）と、／を含むことを特徴とする、スライドセントル用のケレン装置３０』である。
【０００７】
即ち、本発明に係るスライドセントル用のケレン装置は、ケレンブラシを備えるケレンベルト及びトンネルに固定されるベルト駆動手段からなる簡易な構成であるため、▲１▼安価に製作でき、▲２▼ケレンベルトの長さを調節することにより、スライドセントルの断面の大きさに拘わらず適用でき、▲３▼脱型後のスライドセントルの前端側に装置を設置し、スライドセントルが次工程を行う位置まで移動する間を利用してケレン作業を行うことにより、能率的なケレン作業を行うことができ、▲４▼しかも装置の設置や撤去を簡単に短時間で行える、という特徴を有する。
【０００８】
【発明の実施の形態】
本発明に係るスライドセントル用のケレン装置における好適な実施の形態に関し、図面を参照しつつ詳細に説明する。
【０００９】
１．ケレン装置（主に図１参照）
このケレン装置３０は、トンネル１０の施工に用いられるスライドセントル２０に対してケレン作業を行うための装置である。
トンネル１０には、その延長方向に亘り、その内空に二次覆工コンクリート１１が打設され、その底部にインバートコンクリート１２が打設されている。また、インバートコンクリート１２には、その延長方向に亘り、正面視で、その上面の両脇に一対のアンカー１３，１３が埋め込まれ、その上面の中央に一対のレール１４，１４が敷設されている。
スライドセントル２０には、正面視が門型で側面視が所定長さを有する架台において、その外周に、セントルジャッキ（図示外）の伸縮によりセットされ脱型される、二次覆工コンクリート１１の打設用の型枠２１が設けられ、その上部に、油圧シリンダ３３の駆動用の油圧ユニット２２や換気用の風管２３が設けられ、その下部に、レール１４，１４上を移動する、スライド用の車輪２４，２４が設けられている。
【００１０】
またケレン装置３０は、トンネル１０の横断方向に亘り、スライドセントル２０の型枠２１に沿って掛け渡され、ケレンブラシ３２を備えるケレンベルト３１を含むものである。具体的には、型枠２１に沿って曲がる鋼製のベルトであるケレンベルト３１において、その長手方向に亘り所定の間隔をおいて複数個のケレンブラシ３２，３２…が取り付けられており、その両端に後述する一対の油圧シリンダ３３，３３が接続されている。このケレン装置３０は、ケレンベルト３１の長さを調節することにより、スライドセントル２０の断面の大きさに拘わらず（特に中小断面のスライドセントル２０に好適に）適用することができる。
【００１１】
さらにケレン装置３０は、トンネル１０に固定され、ケレンベルト３１の端部を把持し、ケレンベルト３１をその長手方向に往復動させるベルト駆動手段を含むものである。ここではベルト駆動手段として、高圧ホース（図示外）を介して油圧ユニット２２と接続される、一対の油圧シリンダ３３，３３を用いている。具体的には、油圧シリンダ３３，３３は、アンカー１３を介してインバートコンクリート１２に固定されており、それぞれケレンベルト３１の両端を把持している。
なお、ベルト駆動手段は、油圧シリンダ３３を用いるものには限られず、前記の動作を行いうるものであれば、その種類は問わない。例えば、ベルト駆動手段は、エアシリンダを用いるものでも良く、電動モータ及びウインチを用いてケレンベルト３１を巻き送りするものでも良い。
【００１２】
このケレン装置３０は、ケレンベルト３１及びベルト駆動手段（油圧シリンダ３３）からなる簡易な構成であるため、安価に製作でき、しかも装置の設置や撤去を簡単に短時間で行うことができる。
【００１３】
なお、このケレン装置３０は、脱型後のスライドセントル２０の前端側に設置されるのが好ましい（図２参照）。かかる位置にケレン装置３０を設置することで、前工程を行う位置Ａにあるスライドセントル２０が次工程を行う位置Ｂまで移動する間を利用してケレン作業を行うことができるので、能率的なケレン作業が可能となる。
【００１４】
２．ケレン作業（主に図２参照）
以下、ケレン装置３０を用いたケレン作業について、ケレン装置３０の設置からケレン作業の終了まで、順を追って説明する。
【００１５】
（１）まず、以下の手順により、ケレン装置３０を設置する。
＜１＞二次覆工コンクリート１１の打設を行った前工程を行う位置Ａにあるスライドセントル２０において、型枠２１を脱型する。
＜２＞スライドセントル２０の前端側に対応する位置にあるアンカー１３に、油圧シリンダ３３，３３を固定する。
＜３＞スライドセントル２０の前端側において、型枠２１に沿ってケレンベルト３１を掛け渡す。
＜４＞油圧シリンダ３３，３３に、ケレンベルト３１の両端を接続する。
＜５＞チェーンレバーホイスト（図示外）により、ケレンベルト３１の張力を調整する。
【００１６】
（２）次に、ケレン装置３０を作動する。具体的には、油圧力を調節しながら油圧ユニット２２を作動させ、一方の油圧シリンダ３３を縮退させ他方の油圧シリンダ３３を伸長させることにより、３００ｍｍ程度のストロークでケレンベルト３１をその長手方向に往復動させ（図１及び図２の黒矢印）、型枠２１上においてケレンブラシ３２を摺動させる。これにより、型枠２１に付着したコンクリート滓を削り落として型枠２１の素地面を出す「ケレン作業」が行われる。
【００１７】
（３）次に、スライドセントル２０を移動する。具体的には、レール１４上において前工程を行う位置Ａにあるスライドセントル２０を、車輪２４の駆動により次工程を行う位置Ｂまで移動させる（図２の白矢印）。即ち、ケレン装置３０自体は一箇所に固定しておき、スライドセントル２０を移動することにより、側面視で所定長さを有する型枠２１の全長に亘りケレン作業を行う。これにより、スライドセントル２０が移動している間を利用してケレン作業を行うことができるので、能率的なケレン作業が可能となる。
【００１８】
（４）最後に、ケレン作業が終了したら、ケレン装置３０の作動を停止し、ケレン装置３０を撤去する。
以上の手順を繰り返すことにより、スライドセントル２０に対しケレン作業を行うことができる。
【００１９】
【発明の効果】
以上の説明のように構成される本発明に係るスライドセントル用のケレン装置は、ケレンブラシを備えるケレンベルト及びトンネルに固定されるベルト駆動手段からなる簡易な構成であるため、▲１▼安価に製作でき、▲２▼ケレンベルトの長さを調節することにより、スライドセントルの断面の大きさに拘わらず適用でき、▲３▼脱型後のスライドセントルの前端側に装置を設置し、スライドセントルが次工程を行う位置まで移動する間を利用してケレン作業を行うことにより、能率的なケレン作業を行うことができ、▲４▼しかも装置の設置や撤去を簡単に短時間で行える、という顕著な効果を奏する。
【図面の簡単な説明】
【図１】本発明に係るケレン装置を示す図であり、（ａ）は正面図、（ｂ）は側面図である。
【図２】本発明に係るケレン装置を用いたケレン作業を示す側面図である。
【符号の説明】
１０      トンネル
１１      二次覆工コンクリート
１２      インバートコンクリート
１３      アンカー
１４      レール
２０      スライドセントル
２１      型枠
２２      油圧ユニット
２３      風管
２４      車輪
３０      ケレン装置
３１      ケレンベルト
３２      ケレンブラシ
３３      油圧シリンダ（ベルト駆動手段）
Ａ        前工程を行う位置
Ｂ        次工程を行う位置
【図１】
0003871239.tif 000002
【図２】
0003871239.tif 000003